(57)【要約】      （修正有）【課題】情報処理機器、ＯＳ、Ｗｅｂプラットホーム、データベースシステム、電子文章用言語システムに依存せず、電子フォーム処理を永続的に行えるようにする。【解決手段】電子フォームで使用するＵｎｉｃｏｄｅ、Ｓｈｉｆｔ−ＪＩＳ等の文字コード体系を定義し、電子フォーム作成用のデータベースを使用し、電子フォームのフォームを定義し、フォーム上の項目を定義し、フォーム定義、項目定義はデータベースに登録してある属性を継承し、電子フォーム処理プログラムのダウンロード時に、プログラムと同時にこれらの定義をプログラムに対するパラメータとして送信し、この定義属性をデータとして使用してフォームを作成し画面に表示し、入力処理を行う。入力済みフォームはフォーム属性、項目属性を及びフォーム頁毎の入力されたデータをＣＳＶ又はＸＭＬファイルとして記憶保存する。【選択図】図１
2008140349.tif 000002
【特許請求の範囲】
【請求項１】
本発明は文字コード体系を定義し、フォームを定義し、フォーム上の項目を定義した電子フォームと電子フォームに入力したデータを組合せたものである。そのために図１のＡネットワーク上でＣクライアントがＢサーバーより入力フォームをＦダウンロードし、入力後、入力済データをＧデータ送信する取引において、入力フォームを作成するために、ＢサーバーにＤデータベースを備える。このデータベースは図２の１から１０のテーブルより構成され、図４は図２の１から１０の各テーブルのフィールド構成である。図５は３項目テーブルを１１項目コードファイル、６複数データテーブルと７単一データテーブルを組合せて１２複数データファイルとしたＤデータベースのサブセットであるＬデータファイルである。ＣクライアントにはＤデータベースと同等のＥデータベース又はＬデータファイルを備える。入力フォームを作成する時はＤデータベースを使用し、文字コード定義、フォーム定義、項目定義、又はフォームを使用しない場合は文字コード定義、項目定義をＨ  ＣＳＶファイル、又Ｋ  ＸＭＬファイルとして作成し、このＣＳＶファイル又はＸＭＬファイルを使用することにより、どのＯＳ，データベース、プログラミング言語、スクリプト／ＣＧＩ言語にも依存せず、ＣクライアントがＢサーバーよりダウンロードして使用するＩフォーム作成プログラム、及びＣクライアントにあるＪフォーム作成プログラムでＣＳＶファイル又はＸＭＬファイルとデータベースあるいはデータファイルを使用して入力フォームを作成し、Ｃクライアントはフォーム入力を行う。ＢサーバーはＣクライアントが入力フォームへのデータ入力後、入力済データのＧデータ送信を受け、Ｄデータベースの８データテーブルに入力済データを記憶する。１種類のＩ及びＪフォーム作成プログラムは様々なフォーム毎に文字コード定義、フォーム定義、項目定義を代えて使用するだけで汎用的にフォーム処理を可能とする。Ｄデータベースより１種類の入力フォームに対して図３の９言語テーブル、１フォームテーブルの定義と、２フォーム項目テーブル、４項目属性テーブルの定義と、入力フォーム毎の８データテーブルのデータを組合せてＣＳＶ型式ファイル又はＸＭＬファイル、又はこれらを作成可能な型式でＤデータベースへ記憶保存する永続使用電子フォームシステム。
【請求項２】
請求項１の図２のデータベースを使用してのフォームの設計を行うときフォームに使用する項目が一覧視認できるよう、図４の３，５，６，７の各テーブルを印刷出版し、図５の１１、１２のファイルを印刷出版し、又図６の１５項目コードファイル／複数データファイル組合せ一覧表を印刷出版した印刷物。
【請求項３】
請求項１の図１のＢサーバの１フォーム作成プログラム、又はＣクライアントのＪフォーム作成プログラムのプログラムソース作成のために、ビジュアル操作可能なコンピュータ処理により、１種類の入力フォームに対して、９言語テーブルで使用する文字コード体系を定義し、１フォームテーブルを定義し、このフォームを画面に表示し、３項目テーブルより使用項目を選択し、フォーム上の行位置、桁位置を指定し、コンピュータ画面上のフォーム上に項目を配置表示し、使用する項目の数のレコード件数だけの項目テーブルを定義し、一時使用する項目属性は４項目属性テーブルとして定義し、これらの定義済み各テーブルの各フィールドデータをＨ  ＣＳＶファイル、又Ｋ  ＸＭＬファイルとして作成し、種類を問わないプログラム言語、図１０ＨＴＭＬフレーム、スクリプト／ＣＧＩ言語のソースプログラム及びフォーム処理リンクライブラリーの組合せによるプログラムソースを作成する請求項１のＤデータベース使用のフォームエディター。
【請求項４】
請求項１の永続使用電子フォームシステムの図９の６０フォーム入力処理プログラムは６４ＣＳＶファイル又は６８ＸＭＬファイルと図１０のＨＴＭＬフレームと種類を問わないスクリプト／ＣＧＩ言語の組合せよりなり、クライアントは６５ネットワーク送受信によりダウンロードしフォームを作成し画面に表示し、６６クライアントデータベース又は６７クライアントファイルより図４の３項目テーブル、８データテーブルのフィールドデータ取得による、及びキー／マウス操作による入力／選択によるデータ入力後、入力済フォームを６５ネットワーク送受信により返信し、サーバーは受信したデータを６３サーバーデーターベースに記憶保存して、取引を完了させるフォーム入力処理プログラム。６１フォーム入力処理プログラムは６４ＣＳＶファイル又は６８ＸＭＬファイルと種類を問わないプログラミング言語とスクリプト／ＣＧＩ言語の組合せよりなり、６０フォーム入力処理プログラムと同様の処理を行うフォーム入力処理プログラム。６２フォーム入力処理プログラムは６４ＣＳＶファイル又は６８ＸＭＬファイルとＨＴＭＬフレームと種類を問わないスクリプト／ＣＧＩ言語とＨＴＭＬフレームにクライアント処理を行うオブジェクトライブラリーをリンクさせた組合せよりなり、６０フォーム入力処理プログラムと同様の処理を行う、フォーム入力処理プログラム。７０ＸＭＬフォーム表示処理プログラムは６３サーバーデータベースに記憶保存されている入力済フォームをＸＭＬファイルとして作成、及びＸＭＬファイルをフォームとして表示するＸＭＬフォーム表示プログラム。
【請求項５】
図１３の８０ＲＦＩＤパッシブ型、８１ＲＦＩＤアクティブ型と８２ＲＦＩＤリーダー／ライター搭載情報処理装置−Ａあるいは８３ＲＦＩＤリーダー／ライター搭載情報処理装置−Ｂ間との無線による取引、８２リーダー／ライター搭載情報処理装置−Ａと８３リーダー／ライター搭載情報処理装置−Ｂ間の無線による取引において、フォーム処理プログラムをリーダー／ライター搭載情報処理装置にダウンロードしておき、このプログラムは請求項１のフォームを定義する８４ＣＳＶファイル又は８５ＸＭＬと８６クライアントデータベース又は８７クライアントデータファイルを使用してフォーム作成、フォームへのデータ入力、入力済フォームの送受信、入力済フォームの記憶保存を行う、あるいはフォームを使用せず、複数項目へのデータ入力、入力済項目の送受信、入力済項目の記憶保存を行い、このプログラムはフォームの定義を代えるだけで様々なＲＦＩＤとの取引を可能とする汎用性を持ったＲＦＩＤリーダー／ライター搭載情報処理装置処理システム。
【発明の詳細な説明】
【発明の詳細な説明】
【技術分野】
【０００１】本発明はＷｅｂ、無線通信による取引で使用する電子フォームに関するものである。
【背景技術】
【０００２】Ｗｅｂ取引では様々なＯＳ、ＪａｖａＳｅｒｖｅｒ  Ｐａｇｅｓ，Ａｃｔｉｖｅ  Ｓｅｒｖｅｒ  Ｐａｇｅｓ，サーブレットのようなＷｅｂプラットホーム、データベースシステム、電子文章用言語が開発され、それぞれを扱うメーカー、バージョンは多岐にわたっている。企業コンプライアンスに対する情報セキュリティの強化も求められ、いつでも、どこでも閲覧でき、永続使用と監査可能な電子帳簿、電子伝票システムが要求されている。又ＰＣ、携帯端末、ＲＦＩＤを使用したインターネット、無線通信による取引の普及と相まって、それらの相互通信による取引が益々増加している。
【発明が解決しようとする課題】
【０００３】しかし、上記のＯＳ、Ｗｅｂプラットホーム、データベースシステム、電子文章用言語のシステムはそれぞれのソフトウェアの互換性がなく、バージョンが代わると以前のバージョンの機能が保障されないという課題、開発のためにそれぞれの習熟が必要になり開発の困難さがあり、汎用性永続性、開発の容易さに課題があり、これらで作成された電子フォームはその閲覧のために、作成時のソフトウェアとそれが稼動するハードウェアーが必要であるという課題がある。又電子フォームのＰＣ、携帯端末、ＲＦＩＤを使用したインターネット、無線通信による取引の増加が見込まれ、取引毎の固有処理プログラムではなく、どのような取引にも汎用的に使用できるフォーム入力処理プログラムによる利便性向上が求められている。
【問題を解決するための手段】
【０００４】上記課題を解決するために、電子フォームで使用するＵｎｉｃｏｄｅ、Ｓｈｉｆｔ−ＪＩＳ等の文字コード体系を定義し、電子フォーム作成用のデータベースを使用し、電子フォームのフォームを定義し、フォーム上の項目を定義し、フォーム定義、項目定義はデータベースに登録してある属性を継承し、電子フォーム処理プログラムのダウンロード時に、プログラムと同時にこれらの定義をプログラムに対するパラメータとして送信し、この定義属性をデータとして使用してフォームを作成し画面に表示し、入力処理を行う。入力済みフォームはフォーム属性、項目属性を及びフォーム頁毎の入力されたデータをＣＳＶ又はＸＭＬファイルとして記憶保存することにより汎用性、永続性のあるシステムを作ることが可能となる。又電子フォーム作成時に、従来技術であるフォームにＰＣの入力用コントロール、携帯端末の入力用コンポーネントを貼付け、その後に属性を設定し、配置を決定する方式に対して、本発明では属性を持った項目をフォームに貼付ける方式を採用し、属性の設定を無くし、項目の配置レイアウトのみで容易に入力フォームの開発を可能とする。また今後増加する携帯電話、ＲＦＩＤとの取引では１つの電子フォーム処理プログラムでフォームの定義を代えるだけで様々な取引を可能とする。
【発明の効果】
【０００５】電子フォームをデータベースに登録してあるフォーム属性、項目属性を使用して作成するために、その都度の属性設定を不要とし、項目配置レイアウトのみで電子フォームが作成可能となる簡便性と、汎用的な項目使用が可能となり、項目入力の使い勝手が同じとなるわかりやすさを備える。本電子フォームシステムはＣＳＶ又はＸＭＬ形式のフォーム属性、項目属性、入力データより構成されるため、どのようなデータベースシステム、Ｗｅｂ用プログラム言語、ＯＳとそのバージョンでも使用可能であり、又記憶保存された電子フォームもいつでも、どのようなソフトウェアーでも閲覧可能となり、永続的に使用可能なシステムが作れる。
【発明を実施するための最良の形態】
【０００６】永続使用電子フォームシステムでは電子フォームを作成するために、ＢサーバーにＤデータベースを備え、ＣクライアントにはＤデータベースと同等のＥデータベース又はＬデータファイルを備え、９言語テーブルで使用する文字コード体系を定義する。１種類の入力フォームに対して、フィールドにデータを入力した１フォームテーブルの１レコードを作成し記憶保存する。図７の２０個人登録フォームを作成する場合は、３０フォームテーブルにフォーム属性としてフォームコード、フォーム名、行数、桁数、地色、文字色を設定し、フォーム名をフォームのタイトルとして２０個人登録フォームを表示し、データ入力を行う。２１入力後個人登録フォームはフォームへのデータ入力後のフォーム表示画面である。フォームで使用する項目に対して、フィールドにデータを入力した２フォーム項目テーブルの複数レコードを作成し記憶保存する。２０個人登録フォームでは３１フォーム項目テーブルのように各項目属性として、フォームコード、項目コード、見出入力区分、行位置、桁位置を設定し、この時に項目コードにより３２項目テーブルにリンクし項目テーブルの属性を継承する。また項目が入力用コントロールの場合は、コントロールにより３６コントロールテーブルにリンクし属性を継承する。項目が性別のように１男性、２女性のように複数データより選択する場合は、３３複数データテーブルより複数データ件数を取得し、３４単一データより複数のデータを取得し表示する。データベースの図４の３項目テーブルに登録してある項目属性を変更して使用する場合は、項目名の［個人ＩＤ］を［ユーザー名］に変更、個人ＩＤの桁数を［８］桁から［６］桁に変更するような場合は図７の３５項目属性テーブルに変更内容を作成し記憶保存する。【０００７】１レコードの１フォームテーブルのフィールドに入力されたデータと、複数レコードの２フォーム項目テーブルのフィールドに入力されたデータにより、各フィールドデータをテキスト又はバイナリーデータで各フィールドデータを識別できる形式のＨ  ＣＳＶファイル、又は図１１のＸＭＬ要素を使用して、ＸＭＬ要素に各フィールドデータを要素内容としたＫ  ＸＭＬファイルを作成する。図７の２０個人登録フォームを作成する場合、３０フォームテーブルを図８の５０ｐａｒａ１、３１フォーム項目テーブルを５１ｐａｒａ２，３５項目属性テーブルを５２ｐａｒａ３、入力データを５３ｐａｒａ４としたＣＳＶファイルを使用する。５５ＸＭＬは左記ＣＳＶファイルをＸＭＬとして作成してものであり、５５ＸＭＬの〈頁〉要素は図１５のように〈頁〉の要素内容として項目名を子要素とし、そのデータを子要素内容とするいずれかの形式とする。Ｉ及びＪフォーム作成プログラムは入力フォームを作成し、データ入力を行う。この時に図４の２フォーム項目テーブルは入力フォーム作成時に、ＣクライアントのＥデータベース又はＬデータファイルにアクセスし、項目コードでリンクしている図４の３項目テーブル、５コントロールテーブル、６複数データテーブル、７単一データテーブルのフィールド属性を継承使用する。この時に一時的に使用する、項目属性は４項目属性テーブルのレコードとして作成し使用する。又Ｃク��イアントにＥデータベースおよびＬデータファイルを持たない場合はＢサーバーのＤデータベースより左記フィールド属性を取得し、入力フォーム作成のためのＣＳＶファイル、又はＸＭＬに加えておく。【０００８】ＣクライアントはＥデータベース又はＬデータファイルを持ち、電子フォームシステム使用前に、８データテーブルへの事前入力が可能な項目には、例えば［名前］項目の場合は［山田太郎］のようにデータを入力しておく。１０処理履歴テーブルはＤデータベースのフォーム、項目、入力デーへの追加、更新、削除処理が行われたて時の履歴を残すためのものである。図１２は図４のテーブルのフィールドが複数の属性を持つ場合の属性内容の明細である。【０００９】図１２の属性内容明細は永続使用電子フォームシステム独自のコントロール属性として、ｓｉｇｎはフォームを印刷して使用する場合の承認欄用コントロールである。ｚｏｎｅはフォーム上の背景色、罫線により区域を設けるときの領域用コントロールである。ｃｏｎｎｅｃｔｉｏｎはフォーム処理時のデータベース接続用コントロール、ｓｅｌｅｃｔ、ｉｎｓｅｒｔ，ｄｅｌｅｔｅ，ｕｐｄａｔｅはデータベース処理用コントロール，ｄａｔａｓｅｔはフォームに入力された全データ用コントロール、ａｕｔｏはクライアントのデータベース又はデータファイルよりデータを読取りフォームに自動入力するためのコントロール、ｅｒｒｏｒはフォーム入力エラー箇所の表示用コントロール、ｒｅｖｉｅｗはフォーム入力済みデータの確認用コントロールである。【００１０】図１のＣクライアントのＥデータベースはＣクライアントが携帯電話のようにリソースに制限がある場合、サーバーとクライアントの取引が限定されるような場合はＤデータベースの必要な機能のみで構成することを可能とする。又Ｅデータベースは図２の３項目テーブルを１１項目コードファイル、６複数データテーブルと７単一データテーブルを組合せて１２複数データファイルとした図６の構成のＤデータベースのサブセットとしてＬデータファイルとして持つことも可能とする。図４の５コントロールテーブルのようにレコード件数が確定できるテーブルはデータベース、データのテーブルではなく、Ｉ及びＪフォーム作成プログラム内のテーブル定数として持つことも可能とする。【００１１】氷続使用電子フォームシステムではフォーム作成プログラムは図１のＨ  ＣＳＶファイル又はＫ  ＸＭＬファイルでフォームを作成するために、ＣＳＶファイル又はＸＭＬファイルを代えて使用するだけで、どのようなフォームもどのような処理装置、処理プログラムでも作成可能な汎用性を持ち、データ入力済みフォームは文字コード体系定義、フォーム定義、フォーム上の項目定義と電子フォームに入力したデータを組合せたもので、ＣＳＶファイル又はＸＭＬファイルより構成されており、いつでも電子フォームの閲覧を可能とする永続使用を可能とする。【００１２】図１のＢサーバーのＤデータベース、ＣクライアントのＥデータベース、Ｌデータファイルに、例えば貨物の送り状のように、送り主、届け先、商品名、指定配達時間帯のように定型取引のフォームはあらかじめ、図３の９言語テーブル、１フォームテーブル、２フォーム項目テーブルと、���目属性の変更がある場合は４項目属性テーブルを定型フォームとして作成しておくことにより、その都度のフォーム定義、項目定義を省くことが可能となる。【００１３】図１のＢサーバーのＤデータベース、ＣクライアントのＥデータベース、Ｌデータファイルに無い項目を使用するときは、無い項目の図４の３項目テーブル、項目が複数データより成る場合は、６複数データテーブル、７単一データテーブルを作成使用し、繰返し使用する場合はデータベース、データファイルに登録する。【００１４】図４の３項目テーブルの項目名が同一の項目に対して複数有り得る、例えば氏名の項目が、送り主、届け先、顧客名、患者名のような場合は（１）図１４のように氏名の項目コードに対して別名コード、別名のフィールドを持った別名項目テーブルを使用する、（２）項目コードに枝番号をつけて使用するかのいずれかで項目を定義する。【００１５】請求項１の図２のデータベースを使用してのフォームの設計を行うときフォームに使用する項目が一覧視認できるよう、図４の１フォームテーブルの取引コードにより分野、業種別に大分類し、３項目テーブルの分類コードにより用途別に小分類した項目リストを作成して、図４の３，５，６，７の各テーブルを印刷出版し、図５の１１、１２のファイルを印刷出版し、又図６の１５項目コードファイル／複数データファイル組合せ一覧表を印刷出版する。【００１６】請求項１の図１のＢサーバのＩフォーム作成プログラム、又はＣクライアントのＪフォーム作成プログラムのプログラムソースを、Ｄデータベースを使用し、ビジュアル操作によるコンピュータ処理が可能なフォームエディターにより作成する。図４の１フォームテーブル、３項目テーブル、５コントロールテーブル、９言語テーブルは電子フォームシステムとしてのデフォルト規定値を設定しておき、６複数データテーブルと７単一データテーブルのデータは事前に設定しておく。【００１７】フォームエディターで１種類の入力フォームに対して、９言語テーブルで使用する文字コード体系を定義し、フォームに対して図４の１フォームテーブルの必要属性を設定し、設定済属性により画面にフォームを表示する。このときにフォームのサイズを測るルーラー、フォーム上に行、桁位置グリッド表示を必要時に表示し、行高、桁幅は行毎、桁毎の個別設定を可能とする。図４の１フォームテーブルの取引コードにより分野、業種別に大分類し、３項目テーブルの分類コードにより用途別に小分類した項目リストを作成表示し、このリストよりフォーム上に設定する項目を選択することにより、項目のコントロール属性に基くコントロールをフォーム上に設定表示し、ドラッグ操作で所定の行、桁位置に移動させる。この時の項目の属性は、項目コードによりリンクし、３項目テーブル、５コントロールテーブル、６複数データテーブル、７単一データテーブルの各フィールドに設定されている属性を継承する。又必要があればコントロールのサイズを変更し、変更されたサイズ属性をこの項目の４項目属性テーブルのレコードとして作成する。【００１８】上記フォームに対する入力済み各テーブルの各フィールドデータをテキスト又はバイナリーデータで各フィールドデータを識別できる形式の図９���６４ＣＳＶファイル、又はＸＭＬ要素に各フィールドデータを要素内容とした６８ＸＭＬファイルとして作成する。【００１９】フォームエディターは図９の６０フォーム入力処理プログラム用ソースプログラムを６４ＣＳＶファイル、又は６８ＸＭＬファイルと図１０ＨＴＭＬフレームと種類を問わないスクリプト／ＣＧＩ言語のソースプログラムを組合せて作成する。６１フォーム入力処理プログラム用ソースプログラムを６４ＣＳＶファイル、又は６８ＸＭＬファイルと種類を問わないプログラム言語とスクリプト／ＣＧＩ言語のソースプログラムを組合せて作成する。６２フォーム入力処理プログラム用ソースプログラムを６４ＣＳＶファイル、又は６８ＸＭＬファイルと図１０ＨＴＭＬフレームと種類を問わないスクリプト／ＣＧＩ言語のソースプログラムとクライアントデータ処理を行うオブジェクトライブラリーをリンクさせて作成する。フォーム入力処理プログラムはクライアント側の動的処理として、６６クライアントデータベース及び６７クライアントファイルにアクセスし、８データテーブルの入力データを読取り、フォーム項目へプログラムで入力することも可能とする。【００２０】図９の６０、６１、６２フォーム入力処理プログラムのスクリプト／ＣＧＩ言語は図１のＢサーバーのＤデータベース処理、フォーム入力データチェツク、フォーム入力データの取得と返信の処理を行い、リンクライブラリーはＣクライアントの動的処理としてＥデータベース及びＬデータファイル処理、フォーム入力データチェツク、フォーム入力データの取得と返信の処理を行う。【００２１】７０ＸＭＬフォーム表示処理プログラムは６３サーバーデータベースに記憶保存されている入力済フォームをＸＭＬファイルとして作成、及びＸＭＬファイルをフォームとして表示するＸＭＬフォーム表示プログラム。【００２２】ＲＦＩＤとＲＦＩＤリーダー／ライター搭載情報処理装置との無線通信による取引において、図１３の８８フォーム処理プログラムをリーダー／ライター搭載情報処理装置にダウンロードしておき、請求項１のフォームを定義する図１３の８４ＣＳＶファイル又は８５ＸＭＬと８６クライアントデータベース又は８７クライアントデータファイルを使用してフォーム作成、フォームへのデータ入力、入力済フォームの送受信、入力済フォームの記憶保存を行う、あるいはフォームを使用せず、複数項目へのデータ入力、入力済項目の送受信、入力済項目の記憶保存を行い、このプログラムはフォーム定義、項目定義を代えるだけで様々なＲＦＩＤとの取引を可能とする汎用性を持たせる。ＲＦＩＤリーダー／ライター搭載情報処理装置にはディスクトップ、コンピュータモバイルコンピュータ、ＰＤＡ、携帯電話、組込型情報処理機器がある。情報処理装置に搭載するＲＦＩＤリーダー／ライターは対称通信方式により、情報処理装置によりＲＦＩＤへの読込／書込と情報処理装置がＲＦＩＤの役割を果たす機能、認証用コードを記憶したＲＦＩＤより認証用コードを読取り、情報処理装置の認証を行う機能を備える。８４ＣＳＶファイル又は８５ＸＭＬにより作成したフォームは８０ＲＦＩＤパッシブ型、８１ＲＦＩＤアクティブ型と８２ＲＦＩＤリーダー／ライター搭載情報処理装置−Ａ���るいは８３ＲＦＩＤリーダー／ライター搭載情報処理装置−Ｂ間との取引、８２リーダー／ライター搭載情報処理装置−Ａと８３リーダー／ライター搭載情報処理装置−Ｂ間の取引に使用する。
【図面の簡単な説明】
【図１】サーバー、クライアント間のネットワークによる商取引の構成図
【図２】サーバー、クライアントのデータベーステーブルの構成図
【図３】入力済みフォーム保存時のデータベーステーブルの構成図
【図４】図２のデータベーステーブルのフィールド構成図
【図５】項目、複数データ、単一データのテーブルをファイルとした時の構成図
【図６】図５を印刷出版する時に複合させた印刷物形式
【図７】個人登録フォームとこのフォームを作成するためのテーブル構成図
【図８】フォームを作成するためのＣＳＶファイルとＸＭＬファイルの構成図
【図９】フォーム作成プログラム処理時の構成図
【図１０】フォーム作成プログラムのＨＴＭＬ形式の主フレームの具体例
【図１１】フォーム作成プログラムのＸＭＬ形式の主フレームの要素構成図
【図１２】図４テーブルのフィールド属性が複数ある場合の内訳明細
【図１３】ＲＦＩＤとＲＦＩＤリーダー／ライター機能搭載情報処理端末の処理時関連図
【図１４】項目テーブルの項目名に別名を使用するときの別名項目テーブルの構成図
【図１５】ＸＭＬファイル〈頁〉要素の子要素として項目名を使用した場合の具体例
【符号の説明】
Ａ−ネットワーク，Ｂ−サーバー，Ｃ−クライアント，Ｄ−データベース，Ｅ−データベース，Ｆ−ダウンロード，Ｇ−データ送信，Ｈ−ＣＳＶファイル，Ｉ−フォーム作成プログラム，Ｊ−フォーム作成プログラム，Ｋ−ＸＭＬファイル，Ｌ−データファイル，１−フォームテーブル，２−フォーム項目テーブル，３−項目テーブル，４−項目属性テーブル，５−コントロールテーブル，６−複数データテーブル，７−単一データテーブル，８−データテーブル，９−言語テーブル，１０処理履歴テーブルー，１１−項目コードファイル，１２−複数データファイル，１５−項目コードファイル／複数データファイル組合せ一覧印刷物，２０−個人登録フォーム，２１−入力後個人登録フォーム，３０−フォームテーブル，３１−フォーム項目テーブル，３２−項目テーブル，３３−複数データテーブル，３４−単一データテーブル，３５−項目属性テーブル，３６−コントロールテーブル，５０−ＣＳＶｐａｒａ１，５１−ＣＳＶｐａｒａ２，５２−ＣＳＶｐａｒａ３，５３−ＣＳＶｐａｒａ４，５５−ＸＭＬ，６０−フォーム入力プログラム，６１−フオーム入力プログラム，６２−フォーム入力プログラム，６３−サーバーデータベース，６４−ＣＳＶファイル，６５−ネットワーク送受信，６６−クライアントデータベース，６７−クライアントファイル，６８−ＸＭＬファイル，６９−入力済フォームＸＭＬ，７０−ＸＭＬフォーム表示処理プログラム  ８０−ＲＦＩＤパッシブ型，８１−ＲＦＩＤアクティブ型，８２−ＲＦＩＤリーダー／ライター搭載情報処理装置−Ａ，８３−ＲＦＩＤリーダー／ライター搭載情報処理装置−Ｂ，８４−ＣＳＶファイル，８５−ＸＭＬファイル，８６−クライアントデータベース，８７−クライアントファイル，８８−フォーム処理プログラム
【図１】
2008140349.tif 000003
【図２】
2008140349.tif 000004
【図３】
2008140349.tif 000005
【図４】
2008140349.tif 000006
【図５】
2008140349.tif 000007
【図６】
2008140349.tif 000008
【図７】
2008140349.tif 000009
【図８】
2008140349.tif 000010
【図９】
2008140349.tif 000011
【図１０】
2008140349.tif 000012
【図１１】
2008140349.tif 000013
【図１２】
2008140349.tif 000014
【図１３】
2008140349.tif 000015
【図１４】
2008140349.tif 000016
【図１５】
2008140349.tif 000017